(57)【要約】【課題】光学素子の部品数の増加に伴うコストの増大を抑制し、簡素な構成で、形成する画像の濃度ムラを抑制しつつ、画像を形成する速度を向上可能な光走査技術を提供する。【解決手段】画像形成装置は、走査線１の往路走査において、１ライン目の画像データを順次読み出して、一方の光源ユニット２０から光束を発光させた後、振動ミラー５の偏向面の向きを切り替えて、復路走査に移行して、２ライン目の後半の画像データと３ライン目の前半の画像データを順次読み出して、一方の光源ユニット２０から光束を発光させる。走査線２の往路走査において、画像形成装置は、２ライン目の前半の画像データを順次読み出して、他方の光源ユニット２０から光束を発光させ振動ミラー５の偏向面の向きを切り替えて、復路走査に移行して、３ライン目の後半の画像データを順次読み出して、他方の光源ユニット２０から光束を発光させる。【選択図】図１
2011126133.tif 000002
【特許請求の範囲】
【請求項１】
光束を発光する複数の光源手段と、
往復回転運動を行う偏向面を有し、前記光源手段から発光された光束を偏向して、副走査方向に移動される被走査面上を主走査方向に往復走査する偏向手段と、
前記偏向手段により偏向走査された光束を前記被走査面上に結像させる結像光学手段と、
画像を表す画像データを用いて、当該画像に対応する光束が前記被走査面上に結像されるように複数の前記光源手段の発光を各々制御する手段であって、前記光束を発光させる期間を前記光源毎に異ならせる発光制御手段とを備える
ことを特徴とする光走査装置。
【請求項２】
１つの前記光源手段の発光による前記往復走査の走査線の軌跡において生じる粗密に対して、他の前記光源手段の発光による前記往復走査の走査線の軌跡が粗の部分を補完するように、複数の前記光源手段の発光を各々制御する
ことを特徴とする請求項１に記載の光走査装置。
【請求項３】
前記画像データは、ライン毎の画素のデータを表すものであり、
前記発光制御手段は、複数の前記光源手段から発光された光束による前記往復走査１回に用いる前記画像データのライン数を、前記光源手段の数の２倍より小さくして、複数の前記光源手段の発光を各々制御する
ことを特徴とする請求項１又は２に記載の光走査装置。
【請求項４】
前記光源手段の数は、２つであり、
前記発光制御手段は、一方の前記光源手段に対して、前記往復走査の往路及び復路ともに、前記画像に対応する光束が前記被走査面上に結像される期間の全てにおいて発光するよう制御し、他方の前記光源手段に対して、前記往復走査の往路及び復路ともに、前記画像に対応する光束が前記被走査面上に結像される期間の半分において発光するよう制御する
ことを特徴とする請求項３に記載の光走査装置。
【請求項５】
前記発光制御手段は、２つの前記光源手段の往復走査１回に用いる前記画像データのライン数を３つとして、２つの前記光源手段の発光を各々制御する
ことを特徴とする請求項４に記載の光走査装置。
【請求項６】
前記発光制御手段は、２つの前記光源手段のそれぞれの前記往復走査の往路及び復路に用いる前記画像データの各前記画素に対応する光束が、２つの前記光源手段のうちいずれか一方から発光されるように、２つの前記光源手段の発光を各々制御する
ことを特徴とする請求項５に記載の光走査装置。
【請求項７】
前記発光制御手段は、２つの前記光源手段のそれぞれの前記往復走査の往路又は復路のうち少なくとも一方の１回に用いる前記画像データのラインを走査途中で切り替えて、２つの前記光源手段の発光を各々制御する
ことを特徴とする請求項５又は６に記載の光走査装置。
【請求項８】
前記発光制御手段は、２つの前記光源手段のそれぞれの前記往復走査の往路又は復路のうち少なくとも一方の１回に用いる前記画像データのラインを走査途中で切り替える場合、前記走査途中で切り替わる前記ラインの画素に対応する光束を２つの前記光源手段の両方から発光させるよう、２つの前記光源手段の発光を各々制御する
ことを特徴とする請求項７に記載の光走査装置。
【請求項９】
前記発光制御手段は、前記画素に対応して２つの前記光源手段の両方から発光させる光束が前記被走査面へ結像される際の光量が、１つの前記光源手段から発光される場合と同等となるように、２つの前記光源手段から発光させる光束の光量を各々調整して、２つの前記光源手段の発光を各々制御する
ことを特徴とする請求項８に記載の光走査装置。
【請求項１０】
請求項１乃至９のいずれか一項に記載の光走査装置と、
前記光源手段から発光された光束が偏向されて結像される被走査面を有し、当該光束に各々に対応した、前記画像の潜像を形成する像担持体と、
前記被走査面を副走査方向に移動させる移動手段と、
前記潜像を各色トナーで顕像化する現像手段と、
前記潜像が顕像化されたトナー像を重ね合わせて転写材に転写する転写手段とを備える
ことを特徴とする画像形成装置。
【発明の詳細な説明】
【技術分野】
【０００１】
本発明は、光走査装置及び画像形成装置に関するものである。
【背景技術】
【０００２】
従来より、レーザプリンタ、デジタル複写機、ファクシミリ装置等の画像形成装置がある。このような画像形成装置の中には、レーザ光を走査手段により感光体等の被走査面上で主走査方向に偏向走査すると共に、被走査面を副走査方向に移動させて像担持体上に１ライン分ずつ画像を書き込むものがある。このような画像形成装置は、ビーム走査型画像形成装置と言われる。このビーム走査型画像形成装置でレーザ光を偏向する方法には、ポリゴンミラー等による等角速度偏向や、共振ミラー等による往復走査偏向（例えば特許文献１参照）等が用いられている。
【０００３】
等速速度偏向の場合は、走査方向は被走査面に対して一定となる。一方、往復走査偏向の場合は、光源からの光束を共振ミラー等の往復偏向手段で偏向し、被走査面に導くものである。被走査面を往復走査する場合、１ライン走査するごとに走査方向が反転し、次走査ではラインを逆方向に走査することとなる。被走査面を往復走査するとともに、像担持体を副走査方向に移動させるため、被走査面上での光束スポット位置が主走査方向１ラインの始端から終端で走査時間分だけ副走査方向にずれる。その結果、被走査面上に形成された画像には、主走査両端部の間隔の粗密が生じる。この粗密が、形成された画像の画質の低下の要因となる。視覚的には、主走査方向の中央付近と端部とで濃度ムラが感じられることが画像の低下として考えられる。
【０００４】
このような画質の低下を抑制するため、近年では、走査光学系に印加電圧に応じた集光位置が可変となる液体光学素子を有し、往復走査の往路、復路で液体光学素子の集光位置を変化させ、走査方向１ライン内で副走査方向の集光位置を補正する技術が開発されている（例えば特許文献２参照）。また、画像を形成する速度を向上させるための手段として、等速速度偏向光学系の構成では、複数の光源を使用し複数ラインを同時に走査する技術が知られている。
【発明の概要】
【発明が解決しようとする課題】
【０００５】
しかし、特許文献１の技術のように、液体光学素子を用いて補正を行う方式の場合、光学素子及び集光位置可変手段にかかる光走査装置の部品の増加を伴うことにより、コストが増大する恐れがあった。また、等速速度偏向光学系の技術のように、複数ラインを同時に走査する構成を往復走査偏向光学系に適用した場合、主走査両端部の間隔の粗密が単一光源の場合より顕著に現れてしまう恐れがあった。
【０００６】
本発明は、上記に鑑みてなされたものであって、光学素子の部品数の増加に伴うコストの増大を抑制し、簡素な構成で、形成する画像の濃度ムラを抑制しつつ、画像を形成する速度を向上可能な光走査装置及び画像形成装置を提供することを目的とする。
【課題を解決するための手段】
【０００７】
上述した課題を解決し、目的を達成するために、本発明は、光走査装置であって、光束を発光する複数の光源手段と、往復回転運動を行う偏向面を有し、前記光源手段から発光された光束を偏向して、副走査方向に移動される被走査面上を主走査方向に往復走査する偏向手段と、前記偏向手段により偏向走査された光束を前記被走査面上に結像させる結像光学手段と、画像を表す画像データを用いて、当該画像に対応する光束が前記被走査面上に結像されるように複数の前記光源手段の発光を各々制御する手段であって、前記光束を発光させる期間を前記光源毎に異ならせる発光制御手段とを備えることを特徴とする。
【発明の効果】
【０００８】
本発明によれば、光学素子の部品数の増加に伴うコストの増大を抑制し、簡素な構成で、形成する画像の濃度ムラを抑制しつつ、画像を形成する速度を向上可能になる。
【図面の簡単な説明】
【０００９】
【図１】図１は、第１の実施の形態にかかる画像形成装置のハードウェア構成の概略を例示する図である。
【図２】図２は、光書込部９として適用される光走査装置の構成を例示する図である。
【図３】図３は、従来の光源が１つの場合の走査線の軌跡を例示する図である。
【図４】図４は、往復走査における粗密を説明するための図である。
【図５】図５は、往復走査における濃度ムラを例示する図である。
【図６】図６は、光源が２つの場合の２つの走査線の軌跡を例示する図である。
【図７】図７は、本実施の形態にかかる光源が２つの場合の２つの走査線の軌跡を例示する図である。
【図８】図８は、画像データのライン毎の各画素のデータを例示する図である。
【図９】図９は、図８に例示した画像データに対して各走査線１，２の割り当てを例示する図である。
【図１０】図１０は、走査線１，２において、往路走査で読み出される画像データ及び復路走査で読み出される画像データを各々示す図である。
【図１１】図１１は、画像形成装置が行う光源発光制御処理の手順を示すフローチャートである。
【図１２】図１２は、図８に例示した画像データに対して各走査線１，２の割り当てを例示する図である。
【図１３】図１３は、走査線１，２において、往路走査で読み出される画像データ及び復路走査で読み出される画像データを各々示す図である。
【発明を実施するための形態】
【００１０】
以下に添付図面を参照して、この発明にかかる光走査装置及び画像形成装置の実施の形態を詳細に説明する。
【００１１】
［第１の実施の形態］
まず、本実施の形態にかかる画像形成装置のハードウェア構成について図１を用いて概略的に説明する。画像形成装置は、画像処理部（不図示）、感光体７、帯電部８、光書込部９、現像部１０、転写部１１、定着部２４、及びクリーニング部１２を有する。画像処理部は、記憶部と制御部とを有する集積回路などにより構成される。記憶部は、各種プログラムや画像を表す画像データなどの各種データを記憶する。制御部は、記憶部に記憶された各種プログラムを実行することにより、記憶部に記憶された画像データを用いて、感光体７、帯電部８、光書込部９、現像部１０、転写部１１、定着部２４、及びクリーニング部１２を各々制御して、画像を形成する画像形成処理を制御する。感光体７Ｋ，７Ｃ，７Ｍ，７Ｙは、ドラム状をなした像担持体であり、Ｋ，Ｃ，Ｍ，Ｙの各トナーに各々対応しており、光書込部９により露光された潜像を各々担持する。光書込部９は、２つの光源ユニット（不図示）と、シリンドリカルレンズ（不図示）と、振動ミラー５と、振動ミラー５側に設けられた走査レンズ３と、各Ｋ，Ｃ，Ｍ，Ｙに対応して設けられた走査レンズ４と、折り返しミラー２１とを有する。光源ユニットは、光源として例えばレーザダイオードを備え、レーザダイオードから発光された光束を整形して出射する。シリンドリカルレンズは、副走査方向にのみ屈折力を有し、レーザダイオードから出射された各光束を副走査方向にのみ絞る。振動ミラー５は、往復偏向器として機能するものであり、往復回転運動を行う偏向面を有し、光源ユニットから出射された光束が入射されるとこれを偏向走査する。走査レンズ３、走査レンズ４及び折り返しミラー２１は、結像光学系として機能するものであり、振動ミラー５により偏向走査された光束を感光体７Ｋ，７Ｃ，７Ｍ，７Ｙの各被走査面に結像させる。このような構成において、光書込部９は、各感光体７Ｋ，７Ｃ，７Ｍ，７Ｙに対して画像データに応じた光束を光源ユニットから発光させて振動ミラー５で偏向させ、結像させる。帯電部８Ｋ，８Ｃ，８Ｍ，８Ｙは、Ｋ，Ｃ，Ｍ，Ｙの各トナーに各々対応しており、同じトナーの感光体７Ｋ，７Ｃ，７Ｍ，７Ｙを各々帯電する。光書込部９は、帯電された感光体７Ｋ，７Ｃ，７Ｍ，７Ｙに画像データに応じた光束を露光して潜像を形成する。
【００１２】
現像部１０Ｋ，１０Ｃ，１０Ｍ，１０Ｙは、Ｋ，Ｃ，Ｍ，Ｙの各トナーに各々対応しており、同じトナーの感光体７Ｋ，７Ｃ，７Ｍ，７Ｙ上に形成された潜像をトナーで各々現像して可視像化する。転写部１１Ｋ，１１Ｃ，１１Ｍ，１１Ｙは、Ｋ，Ｃ，Ｍ，Ｙの各トナーに各々対応しており、同じトナーの感光体７Ｋ，７Ｃ，７Ｍ，７Ｙ上の可視像（トナー像）を記録用紙等の転写材１７に各々転写する。定着部２４は、転写材１７に転写された可視像（トナー像）を定着する。クリーニング部１２Ｋ，１２Ｃ，１２Ｍ，１２Ｙは、Ｋ，Ｃ，Ｍ，Ｙの各トナーに各々対応しており、同じトナーで転写後の感光体７Ｋ，７Ｃ，７Ｍ，７Ｙの各表面を各々クリーニングする。このような構成において画像形成装置は、帯電、露光、現像、転写、定着、クリーニングという工程（電子写真プロセス）により転写材に画像を形成して出力する。尚、感光体７Ｋ，７Ｃ，７Ｍ，７Ｙを各々区別する必要がない場合には、単に感光体７と記載する。帯電部８Ｋ，８Ｃ，８Ｍ，８Ｙを各々区別する必要がない場合には、単に帯電部８と記載する。現像部１０Ｋ，１０Ｃ，１０Ｍ，１０Ｙを各々区別する必要がない場合には、単に現像部１０と記載する。転写部１１Ｋ，１１Ｃ，１１Ｍ，１１Ｙを各々区別する必要がない場合には、単に転写部１１と記載する。
【００１３】
次に、光書込部９として適用される光走査装置の構成について図２を用いて説明する。図２の例では、感光体７Ｋに対する構成を示しているが、感光体７Ｃ，７Ｍ，７Ｙについても同様である。２つの光源ユニット２０には、光源光量制御部２２が接続される。光源光量制御部２２は、画像処理部の機能の１つであり、画像データに応じて、光源ユニット２０の発光を制御する。光源駆動部２３は、光源光量制御部２２の制御の下、振動ミラー５による偏向走査を制御するべく、振動ミラー５の偏向面の向きを適宜切り替える。光源ユニット２０から出射した光束は、シリンドリカルレンズ６で副走査方向にのみ各光束が絞られ、振動ミラー５上で主走査方向に長い線像を形成する。振動ミラー５に入射した各光束は振動ミラー５で偏向走査され、それ以降の結像光学系である走査レンズ（振動ミラー側）３、走査レンズ（被走査面側）４、そして折り返しミラー２１を通過することで、各被走査面である感光体７Ｍ，７Ｙの表面上に結像走査される。感光体７Ｋ，７Ｃへの結像走査も同様である。そして、感光体７は、回転駆動部（不図示）により回転駆動されて帯電部８により一様に帯電された後に光束の往復走査により繰り返し走査され、副走査方向に移動することで、画像データによって表される画像の潜像（静電潜像）が形成される。感光体７上の潜像は、現像部１０により現像されてトナー像となり、転写部１１により転写材に転写されて定着部２４により定着される。
【００１４】
ここで、往復走査偏向について説明する。往復走査偏向とは、光源ユニット２０からの光束を振動ミラー５で偏向して、往復走査により被走査面に導くものである。図３は、従来の光源が１つの場合の走査線の軌跡を例示する図である。同図に示されるように、往復走査では、１ライン走査するごとに走査方向が反転し、次走査ではラインを逆方向に走査することとなる。被走査面を往復走査する際には、感光体７が副走査方向に移動させられる。このため、従来では、図４に示すように、被走査面上での光束のスポット位置が主走査方向１ラインの始端から終端で走査時間分だけ副走査方向にずれる。その結果、被走査面上に形成された画像には、主走査方向の両端部の間隔の粗密が生じる。この粗密が、形成された画像の画質低下の要因となる。視覚的には、図５に例示されるように、主走査方向の中央付近と端部とで、濃度ムラが感じられることが考えられる。
【００１５】
図６は、光源が２つの場合の２つの走査線の軌跡を例示する図である。同図において、実線は、一方の光源から発光される光束により形成される走査線１の軌跡を示し、点線は、他方の光源から発光される光束により形成される走査線２の軌跡を示す。２つの走査線１，２は各々、画像を形成する期間の全てにおいて各光源から発光される光束により軌跡が形成される。この場合、主走査方向の両端部の間隔の粗密が光源が１つの場合より顕著に現れる恐れがあった。このため、図５の例に比べて、濃度ムラがより顕著に感じられることが考えられる。
【００１６】
このような濃度ムラを低減するため、本実施の形態においては、画像形成装置は、走査線の粗密を抑制することを実現させる。図７は、本実施の形態にかかる光源が２つの場合の２つの走査線の軌跡を例示する図である。同図の上段は、図６に例示した２つの走査線１，２の軌跡の一部であり、同図の下段は、本実施の形態にかかる２つの走査線１，２の軌跡の一部である。この下段に示されるように、走査線１は、往復走査の往路及び復路ともに、１ライン分で一方の光源から発光される光束により軌跡が形成される。走査線２は、往復走査の往路及び復路ともに、１ラインの半分で他方の光源から発光される光束により軌跡が形成される。即ち、走査線２が走査線１の軌跡の「粗」の部分を補完するように複数の光源の発光が制御される。これにより、主走査方向の両端部の間隔の粗密が抑制可能となる。
【００１７】
このような発光制御を行うのが上述の光源光量制御部２２である。この光源光量制御部２２は、形成する対象の画像を表す画像データに画像データに応じて、２つの光源ユニット２０の発光を制御する。画像データは、上述したように例えば記憶部に記憶されるものである。図８は、画像データのライン毎の各画素のデータを例示する図である。図９は、図８に例示した画像データに対して各走査線１，２の割り当てを例示する図である。これらの図では、簡素化のために、２０画素×３ライン分のイメージを示している。このような画像データに対して、光源光量制御部２２は、２つの光源ユニット２０から発光された光束による往復走査１回に用いる画像データのライン数が、光源手ユニット２０の数（ここでは２つである）の２倍より小さくなるように、画像データを割り当てる。本実施の形態においてはこのライン数を３つとする。
【００１８】
具体的には、光源光量制御部２２は、まず、走査線１の往路にて、１ライン目の全てが形成され、走査線２の往路にて、２ライン目の前半（図では左半分）が形成されるように画像データを割り当てる。次に、光源光量制御部２２は、走査線１の復路にて、２ライン目の後半（図では右半分）と３ライン目の前半とが形成され、走査線２の復路にて、３ライン目の後半が形成されるように画像データを割り当てる。図１０は、走査線１，２において、往路走査で読み出される画像データ及び復路走査で読み出される画像データを各々示す図である。同図に示されるように、走査線１においては、往復走査の往路及び復路ともに、１ライン分の画像データが割り当てられる。走査線２においては、往復走査の往路及び復路ともに、１ライン分の半分の画像データが割り当てられる。
【００１９】
このような走査線１を実現するため、光源光量制御部２２は、一方の光源ユニット２０に対して、往復走査の往路及び復路ともに、１ライン分の画像データを読み出して、光束を発光させる。即ち、光源光量制御部２２は、一方の光源ユニット２０に対して、当該画像データによって表される画像に対応する光束が感光体７の被走査面上に結像される期間の全てにおいて光束を発光させる。また、走査線２を実現させるため、光源光量制御部２２は、他方の光源ユニット２０に対して、往復走査の往路及び復路ともに、１ラインの半分の画像データを読み出して、光束を発光させる。即ち、光源光量制御部２２は、他方の光源ユニット２０に対して、当該画像データによって表される画像に対応する光束が感光体７の被走査面上に結像される期間の半分において光束を発光させる。具体的には、光源光量制御部２２は、走査線１の往路走査において、１ライン目の画像データを順次読み出して、一方の光源ユニット２０から光束を発光させる。次に、復路走査に移行するが、復路走査における走査方向は往路走査における走査方向と逆になるため、光源光量制御部２２は、光源駆動部２３を介して、振動ミラー５の偏向面の向きを切り替える。そして、光源光量制御部２２は、走査線１の復路走査において、２ライン目の後半の画像データ（「2-20」〜「2-11」）と３ライン目の前半の画像データ（「3-10」〜「3-1」）を順次読み出して、一方の光源ユニット２０から光束を発光させる。また、光源光量制御部２２は、走査線２の往路走査において、２ライン目の前半の画像データ（「2-1」から「2-10」）を順次読み出して、他方の光源ユニット２０から光束を発光させる。次に、復路走査に移行すべく、光源光量制御部２２は、光源駆動部２３を介して、振動ミラー５の偏向面の向きを切り替えて、走査線２の復路走査において、３ライン目の後半の画像データ（「3-20」から「3-11」）を順次読み出して、他方の光源ユニット２０から光束を発光させる。４ライン目以降も同様に光源光量制御部２２は制御する。
【００２０】
次に、本実施の形態にかかる画像形成装置が行う光源発光制御処理の手順について図１１を用いて説明する。画像形成装置は、上述の走査線１について、往路走査において、１ライン目の画像データを順次読み出して、一方の光源ユニット２０から光束を発光させる（ステップＳ１）。次に、復路走査に移行すべく、画像形成装置は、振動ミラー５の偏向面の向きを切り替えて、２ライン目の後半の画像データと３ライン目の前半の画像データを順次読み出して、一方の光源ユニット２０から光束を発光させる（ステップＳ２）。また、走査線２について、画像形成装置は、往路走査において、２ライン目の前半の画像データを順次読み出して、他方の光源ユニット２０から光束を発光させる（ステップＳ１１）。次に、復路走査に移行すべく、画像形成装置は、振動ミラー５の偏向面の向きを切り替えて、３ライン目の後半の画像データを順次読み出して、他方の光源ユニット２０から光束を発光させる（ステップＳ１２）。
【００２１】
以上のような構成によれば、２つの光源による往復走査１回で、３ライン相当の画像の形成が可能となり、更に、往復走査における粗密を抑制することが可能となる。即ち、光学素子の部品数の増加に伴うコストの増大を抑制し、簡素な構成で、形成する画像の濃度ムラを抑制することができる。また、複数の光源を用いることにより、画像を形成する速度を向上させることができる。例えば、光源が１つである場合に比べて、画像を形成する速度を１．５倍程度向上させることができる。
【００２２】
[第２の実施の形態]
次に、光走査装置及び画像形成装置の第２の実施の形態について説明する。なお、上述の第１の実施の形態と共通する部分については、同一の符号を使用して説明したり、説明を省略したりする。
【００２３】
上述の第１の実施の形態においては、主走査方向の中心付近での走査線の切り替わりが発生する。このため、切り替わりの位置でのラインずれが、形成される画像に影響する場合があり得る。本実施の形態においては、このラインずれを抑制する構成について説明する。画像形成装置のハードウェア構成については上述の第１の実施の形態と略同様である。光源光量制御部２２によって実現される機能が上述の第１の実施の形態と異なる。光源光量制御部２２は、走査線が切り替わる位置の画素に対応する光束を、２つの光源ユニット２０の両方から発光させる。
【００２４】
図１２は、図８に例示した画像データに対して各走査線１，２の割り当てを例示する図である。同図に示される２ライン目で走査線１,２が切り替わる位置の画素（「2-11」）の画像データ及び３ライン目で走査線１,２が切り替わる位置の画素（「3-10」）の画像データは、走査線１，２の両方に割り当てられる。図１３は、走査線１，２において、往路走査で読み出される画像データ及び復路走査で読み出される画像データを各々示す図である。同図に示されるように、「2-11」の画素の画像データは、走査線２の往路走査及び走査線１の復路走査で各々読み出される。「3-10」の画素の画像データは、走査線１の復路走査及び走査線２の復路走査で各々読み出される。
【００２５】
具体的に、光源光量制御部２２が行う制御は、走査線１の往復走査については上述の第１の実施の形態と同様であり、走査線２の往復走査について第１の実施の形態と異なる。光源光量制御部２２は、走査線２の往路走査において、２ライン目の前半の画像データ（「2-1」から「2-11」）に加えて走査線１,２が切り替わる位置の画素（「2-11」）の画像データを順次読み出して、他方の光源ユニット２０から光束を発光させる。次に、復路走査に移行すべく、光源光量制御部２２は、光源駆動部２３を介して、振動ミラー５の偏向面の向きを切り替えて、走査線２の復路走査において、３ライン目の後半の画像データ（「3-20」から「3-11」）に加えて走査線１,２が切り替わる位置の画素（「3-10」）の画像データを順次読み出して、他方の光源ユニット２０から光束を発光させる。
【００２６】
尚、走査線１,２が切り替わる位置の画素（「2-11」,「3-10」）の画像データに対応した光束は、２つの光源ユニット２０の両方から発光されることになる。このため、当該画素に対応した光束の光量が、光源光量制御部２２は、１つの光源ユニット２０から発光される光量と同量となるように、２つの光源ユニット２０から発光させる光束の光量を各々調整することが望ましい。
【００２７】
以上のような構成によれば、光学素子の部品数の増加に伴うコストの増大を抑制し、簡素な構成で、形成する画像の濃度ムラを抑制することができる。また、複数の光源を用いることにより、画像を形成する速度を向上させることができる。更に、転写材に転写される画像のラインずれを抑制することが可能になる。
【００２８】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００２９】
上述した実施の形態において、画像形成装置で実行される各種プログラムを、インターネット等のネットワークに接続されたコンピュータ上に格納し、ネットワーク経由でダウンロードさせることにより提供するように構成しても良い。また当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録してコンピュータプログラムプロダクトとして提供するように構成しても良い。
【００３０】
上述の実施の形態では、光走査装置を適用する画像形成装置は、上述の例に限らず、コピー機能、プリンタ機能、スキャナ機能及びファクシミリ機能のうち少なくとも１つの機能を有するものであればいずれであっても良い。
【符号の説明】
【００３１】
３  走査レンズ
４  走査レンズ
５  振動ミラー
６  シリンドリカルレンズ
７，７Ｋ，７Ｃ，７Ｍ，７Ｙ  感光体
８,８Ｋ，８Ｃ，８Ｍ，８Ｙ  帯電部
９  光書込部
１０,１０Ｋ，１０Ｃ，１０Ｍ，１０Ｙ  現像部
１１,１１Ｋ，１１Ｃ，１１Ｍ，１１Ｙ  転写部
１２Ｋ，１２Ｃ，１２Ｍ，１２Ｙ  クリーニング部
１７  転写材
２０  光源ユニット
２１  折り返しミラー
２２  光源光量制御部
２３  光源駆動部
２４  定着部
【先行技術文献】
【特許文献】
【００３２】
【特許文献１】特開２００８−０１５２１０号公報
【特許文献２】特開２００９−００３２０３号公報
【図１】
2011126133.tif 000003
【図２】
2011126133.tif 000004
【図３】
2011126133.tif 000005
【図４】
2011126133.tif 000006
【図５】
2011126133.tif 000007
【図６】
2011126133.tif 000008
【図７】
2011126133.tif 000009
【図８】
2011126133.tif 000010
【図９】
2011126133.tif 000011
【図１０】
2011126133.tif 000012
【図１１】
2011126133.tif 000013
【図１２】
2011126133.tif 000014
【図１３】
2011126133.tif 000015